(57)【要約】【課題】外付け部品を増やさずに、過電流状態を精度良く検出するとともに、発熱の除去を十分に担保することを可能とする過電流保護回路を提供する。【解決手段】過電流保護回路は、電源回路が起動すると端子電圧が第１電圧に到達するまでコンデンサを充電する第１動作モードと、電源回路の出力トランジスタに流れる電流が所定値を越えている期間に応じて、端子電圧が第１電圧から第２電圧にむかって上昇するようにコンデンサを充電し、端子電圧が第２電位に到達すると電源回路をシャットダウンさせる第２動作モードと、電源回路をシャットダウンさせると、端子電圧が第３電圧に到達するまでコンデンサを放電し、端子電圧が第３電圧に到達すると電源回路をシャットダウンから解除させる第３動作モードと、を含んで動作すること、を特徴とする。【選択図】図２
2010279188.tif 000002
【特許請求の範囲】
【請求項１】
コンデンサに接続される端子の端子電圧に応じて起動時にソフトスタートを行う電源回路に備えられる過電流保護回路であって、
前記電源回路が起動すると、前記端子電圧が第１電圧に到達するまで前記コンデンサを充電する第１動作モードと、
前記電源回路の出力トランジスタに流れる電流が所定値を越えている期間に応じて、前記端子電圧が前記第１電圧から第２電圧にむかって上昇するように前記コンデンサを充電し、前記端子電圧が前記第２電位に到達すると前記電源回路をシャットダウンさせる第２動作モードと、
前記電源回路をシャットダウンさせると、前記端子電圧が前記第３電圧に到達するまで前記コンデンサを放電し、前記端子電圧が前記第３電圧に到達すると前記電源回路をシャットダウンから解除させる第３動作モードと、を含んで動作すること、を特徴とする過電流保護回路。
【請求項２】
請求項１に記載の過電流保護回路であって、
前記第２動作モードでは、前記出力トランジスタの制御端子に入力されるＰＷＭ信号の周期に合わせて、前記出力トランジスタに流れる電流が所定値を越えているか否かが検出されていること、を特徴とする過電流保護回路。
【請求項３】
請求項１〜２のいずれかに記載の過電流保護回路であって、
前記電源回路がシャットダウンすると、前記出力トランジスタはスイッチング制御を停止すること、を特徴とする過電流保護回路。
【発明の詳細な説明】
【技術分野】
【０００１】
本発明は、過電流保護回路に関する。
【背景技術】
【０００２】
現在、種々の電気機器に電源回路が用いられている。一般に、電源回路には、過電流による電源回路の破壊を防止するために、様々な保護機能が備えられている。
【０００３】
このような保護機能として、短絡などにより出力トランジスタに過電流が流れていることを検出すると出力トランジスタをオフさせるという、過電流検出機能が一般的である。
【０００４】
また、電源回路の起動時に出力電圧が所望の電圧値まで急激に近づくと、出力は大容量コンデンサで仮想接地されているために過電流が発生してしまう。これを回避すべく、電源回路の起動時においては出力電圧を徐々に上昇させるという、ソフトスタート機能も一般的になってきた。
【０００５】
図４は、このような過電流検出機能及びソフトスタート機能を備えた電源回路の構成例を示す。電源回路１００は、電源制御回路１１０と、それに外付けされたダイオード１２０、コイル１２１、コンデンサ１２２及び抵抗１２３，１２４と、を含んで構成されている。このうち、電源制御回路１１０は、出力トランジスタ１４１、エラーアンプ１４２、内部電源１４３、電流源１４４、発振回路１４５、コンパレータ１４６、出力制御回路１４７及び過電流検出回路１４８を含んで構成される。
【０００６】
はじめに、電源回路１００の一般的な挙動について説明すると、出力トランジスタ１４１は、ドレインに入力電圧が印加され、ゲートに出力制御回路１４７からの制御電圧が印加され、ソースに出力端子が接続される。制御電圧に応じて出力トランジスタ１４１がオンすると、コイル１２１に電流が流れてコンデンサ１２２が充電され、負荷に対する出力電圧が上昇する。一方、制御電圧に応じて出力トランジスタ１４１がオフすると、負荷に対する出力電圧が下降する。エラーアンプ１４２は、出力電圧を抵抗１２３，１２４により抵抗分割して得られる帰還電圧と、内部電源１４３による基準電圧との誤差を増幅して出力する。コンパレータ１４６は、エラーアンプ１４２からの出力と、発振回路１４５から出力される三角波などの発振信号とを比較してＰＷＭ信号を出力する。出力制御回路１４７は、ＰＷＭ信号に基づいて、出力トランジスタ１４１をＰＷＭ制御する。このように、電源回路１００は、帰還電圧と基準電圧との誤差に応じて、出力トランジスタ１４１をオンオフ制御することにより、帰還電圧と基準電圧との誤差を小さくして、出力電圧を所望の電圧に近づけるように挙動する。
【０００７】
つづいて、電源回路１００の過電流検出機能について説明すると、過電流検出回路１４８は、短絡などにより出力トランジスタ１４１に過電流が流れていることを検出すると、出力トランジスタ１４１をオフするための信号を出力制御回路１４７に出力して、過電流による出力トランジスタ１４１の破壊を防ぐ。
【０００８】
また、電源回路１００のソフトスタート機能について説明すると、電源回路１００の起動時においては帰還電圧と基準電圧との誤差が大きいため、この誤差に応じてＰＷＭ制御を行うと出力トランジスタ１４１がオンとなる時間が非常に長くなり、出力は大容量のコンデンサ１２２に仮想接地されているため過電流が生じる可能性が大きい。これを回避すべく、エラーアンプ１４２には、端子を介してコンデンサ１３０が接続される。そして、エラーアンプ１４２は、基準電圧又はコンデンサ１３０の電位のいずれか低い電圧と、帰還電圧とを比較する。このような構成により、電源回路１００の起動時においては、コンデンサ１３０の電位が電流源１４４から供給される電流によって徐々に上昇するから、エラーアンプ１４２はコンデンサ１３０の電位と帰還電圧との誤差とを増幅することになるから、過電流の発生が回避される。
【先行技術文献】
【特許文献】
【０００９】
【特許文献１】特開２００４−１５８８１号公報
【発明の概要】
【発明が解決しようとする課題】
【００１０】
ところで、出力トランジスタ１４１は、瞬間的に多く電流を流す場合がある。これは、短絡等を原因とした過電流とは異なるものであるが、その都度、過電流検出回路１４８が過電流状態と認定してしまい出力トランジスタ１４１をオフさせてしまうと、電源回路１００の動作に支障が生じてしまう。
【００１１】
また、電源回路１００は、過電流が発生すると出力トランジスタ１４１をオフするのであるが、この状態からすぐに出力トランジスタ１４１がオンする状態に復帰してしまうと、電源回路１００が搭載されたシステムに発生している熱の除去が不十分である場合がある。
【００１２】
本発明の目的は、外付け部品を増やさずに、過電流状態を精度良く検出するとともに、発熱の除去を十分に担保することを可能とする過電流保護回路を提供することである。
【課題を解決するための手段】
【００１３】
本発明に係る過電流保護回路は、コンデンサに接続される端子の端子電圧に応じて起動時にソフトスタートを行う電源回路に備えられる過電流保護回路であって、前記電源回路が起動すると、前記端子電圧が第１電圧に到達するまで前記コンデンサを充電する第１動作モードと、前記電源回路の出力トランジスタに流れる電流が所定値を越えている期間に応じて、前記端子電圧が前記第１電圧から第２電圧にむかって上昇するように前記コンデンサを充電し、前記端子電圧が前記第２電位に到達すると前記電源回路をシャットダウンさせる第２動作モードと、前記電源回路をシャットダウンさせると、前記端子電圧が前記第３電圧に到達するまで前記コンデンサを放電し、前記端子電圧が前記第３電圧に到達すると前記電源回路をシャットダウンから解除させる第３動作モードと、を含んで動作すること、を特徴とする。
【発明の効果】
【００１４】
上記構成により、同一のコンデンサを利用して、ソフトスタート機能、過電流の誤検出防止機能、シャットダウン期間の調整機能を電源回路に供給する過電流保護回路を提供できる。
【図面の簡単な説明】
【００１５】
【図１】本発明に係る実施の形態において、過電流保護回路を示す図である。
【図２】本発明に係る実施の形態において、コンデンサに充電された電圧に対する過電流保護回路の動作の変化を説明するための図である。
【図３】本発明に係る実施の形態において、過電流検出信号の信号処理を説明するための図である。
【図４】一般的な電源回路を示す図である。
【発明を実施するための形態】
【００１６】
以下に、本発明に係る実施の形態について添付図面を参照しながら詳細に説明する。なお、以下においては、過電流保護回路が搭載される電源回路の全体構成については説明を省略するが、過電流保護回路は、例えば図４に示されるようなソフトスタート機能を有する電源回路１００に搭載される。
【００１７】
はじめに、本実施形態に係る過電流保護回路の構成について詳述する。
【００１８】
図１は、過電流保護回路１を示す図である。過電流保護回路１は、電流源２〜３、スイッチ４〜５、トランジスタ６、フリップフロップ７〜８、ＮＯＲゲート９〜１１、ＯＲゲート１２、ヒステリシスアンプ１３、コンパレータ１４、ＮＯＴゲート１５〜１９及び端子ＳＳを含んで構成される。そして、端子ＳＳは、外付けのコンデンサ２１が接続される。
【００１９】
端子ＳＳは、コンデンサ２１と接続されている。コンデンサ２１は、電源回路においてはソフトスタート機能のために設けられており、例えば、図４で説明した電源回路１００においては、コンデンサに相当する。
【００２０】
電流源２はスイッチ４を介して端子ＳＳと接続され、コンデンサ２１を充電する電流Ｉｃを流す。電流源３は端子ＳＳと接続され、コンデンサ２０を放電する電流Ｉｄを流す。電流Ｉｃは、電流Ｉｄよりも電流値が大きくなるように構成される。本実施形態では、電流Ｉｃは６μＡ、電流Ｉｄは０．６μＡとなるように構成されるものとする。このような構成により、電流源２〜３は、スイッチ４がオンするとコンデンサ２１を充電し、スイッチ４がオフするとコンデンサ２１を放電するように機能する。そして、コンデンサ２１の充放電に応じて、端子ＳＳに生じる端子電圧Ｖｃが変化する。
【００２１】
トランジスタ６は、ベースにスイッチ５を介して電圧源５１が接続され、エミッタに端子ＳＳが接続される。このような構成により、スイッチ５がオンすると、端子電圧Ｖｓは電圧源５１に応じた電圧に応じた電圧に維持される。本実施形態では、スイッチ５がオンすると、端子電圧Ｖｓは、１．１Ｖに維持されるものとする。
【００２２】
ヒステリシスアンプ１３は、入力段に端子ＳＳが接続され、出力段にＮＯＴゲート１６を介して、ＮＯＲゲート１１の入力端子及びフリップフロップ７のリセット端子が接続される。本実施形態では、ヒステリシスアンプ１３は、端子電圧Ｖｓが上昇していき１．１Ｖを超えるとＨレベルを出力し、端子電圧Ｖｓが下降してきき０．２Ｖを下回るとＬレベルを出力するものとする。
【００２３】
コンパレータ１４は、非反転入力端子に端子ＳＳが接続され、反転入力端子に電圧源５２が接続され、出力端子にＮＯＴ１５ゲートを介してＮＯＲゲート１１の入力端子が接続される。本実施形態では、電圧源５１の電圧は１．３Ｖであるものとする。このような構成により、コンパレータ１４は、端子電圧Ｖｓが１．３ＶをこえるとＨレベルを出力する。
【００２４】
ＮＯＲゲート１１は、コンパレータ１４の出力がＮＯＴゲート１５を介して入力されるとともに、ヒステリシスアンプ１３の出力がＮＯＴゲート１６を介して入力され、出力端子にフリップフロップ７のスタート端子が接続される。このような構成により、ＮＯＲゲート１１は、端子電圧Ｖｓが１．３ＶをこえるとＨレベルをフリップフロップ７のスタート端子に出力する。
【００２５】
フリップフロップ７は、スタート端子にＮＯＲゲート１１の出力が入力され、リセット端子にヒステリシスアンプ１３の出力がＮＯＴゲート１６を介して入力される。このような構成により、フリップフロップ７は、端子電圧Ｖｓが１．３Ｖまで上昇するとＨレベルを出力端子から出力するとともに、その後、端子電圧Ｖｓが０．２Ｖを下回るまで下降するとリセットされてＬレベルを出力端子から出力する。そして、フリップフロップ７がＨレベルの信号を出力端子から出力している期間において、電源回路はシャットダウンするように制御される。なお、ここでいうシャットダウンとは、例えば、図４に示す電源回路１００においては出力制御回路１４７が一定期間において出力トランジスタにＰＷＭ信号を出力しないようにする等によって、電源回路１００が出力電圧を出力しなくなる状態になる。
【００２６】
フリップフロップ８は、スタート端子にＮＯＴゲート１９を介してＰＷＭ信号が入力され、リセット端子に過電流電出信号が入力される。ここで、ＰＷＭ信号とは、出力トランジスタ（例えば、図４で示す電源回路１００においては、出力トランジスタ１４１に相当する。）のゲートに入力される信号に相当する。詳細は後述するが、このような構成により、フリップフロップ８は、過電流が生じている期間に応じてＬレベルの信号を出力端子から出力する。なお、ここでは、過電流とは、出力トランジスタに流れる電流であって、所定量を越えた電流をいう。
【００２７】
ＮＯＲゲート１０は、一方の入力端子にＮＯＴゲート１６の出力が入力され、他方の入力端子にＮＯＴゲート１８の出力が入力される。このような構成により、ＮＯＲゲート１０は、端子電圧Ｖｓが１．１Ｖを越えた後であって０．２Ｖを下回るまでの期間において、過電流が発生していない期間にのみＨレベルを出力端子から出力する。
【００２８】
ＯＲゲート１２は、一方の入力端子にフリップフロップ７の出力が入力され、他方の入力端子にＮＯＲゲート１０の出力が入力される。このような構成により、ＯＲゲート１２は、端子電圧Ｖｓが１．１Ｖを越えた後であって０．２Ｖを下回るまでの期間、又は、過電流が発生している期間、においてＬレベルを出力端子から出力する。そうすると、当該Ｌレベルの信号はＮＯＴゲート１７により反転されてスイッチ４に入力され、スイッチ４がオンして、コンデンサ２１が電流源２から供給される電流により充電される。
【００２９】
ＮＯＲゲート９は、一方の入力端子にＮＯＴゲート１６の出力が入力され、他方の入力端子にフリップフロップ７の出力が入力される。このような構成により、ＮＯＲゲート９は、端子電圧Ｖｓが１．１Ｖを越えた後であって０．２Ｖを下回るまでの期間であって、端子電圧Ｖｓが１．３Ｖに到達していない期間において、Ｈレベルを出力する。そうすると、当該Ｈレベルの信号によってスイッチ５がオンして、トランジスタ６のベースは電圧源５１と接続される。
【００３０】
続いて、図２を参照しつつ、図１に示された過電流保護回路１の動作について具体的に説明する。
【００３１】
期間Ａは、例えば、過電流保護回路１が搭載された電源回路が起動した直後に相当する期間である。電源回路が起動した直後においては、コンデンサ２１は実質的には充電されていない状態であるから、ヒステリシスアンプ１３及びコンパレータ１４はＬレベルを出力する。そうすると、ＮＯＲゲート１１は、Ｈレベルの信号のみが入力されるから、Ｌレベルを出力する。このとき、フリップフロップ７は、スタート端子にＬレベルが入力され、リセット端子にＨレベルが入力されるから、Ｌレベルを出力する。つまり、期間Ａでは、過電流保護回路１は、電源回路に対してシャットダウンを指示しない。
【００３２】
ＮＯＲゲート１０は、ＮＯＴゲート１６からＨレベルが入力される。このため、ＮＯＲゲート１０は、フリップフロップ８の出力に関わらずＬレベルを出力する。ＯＲゲート１２は、フリップフロップ７及びＮＯＲゲート１０からＬレベルが入力される。このため、ＯＲゲート１２は、Ｌレベルを出力する。
【００３３】
以上により、過電流保護回路１は、電源回路が起動すると、スイッチ４がオンしてコンデンサ２１を充電する。つまり、図２を参照すると、電源回路を起動した直後の期間Ａにおいては、端子電圧Ｖｓが上昇する。なお、期間Ａにおいて、電源回路は、端子電圧Ｖｓに基づいてソフトスタートを行う。
【００３４】
期間Ｂは、電源回路がソフトスタートを終えた後であって、電源回路が通常の動作を行っている期間である。期間Ａにおいてコンデンサ２１が充電されて端子電圧Ｖｓが上昇するのであるが、端子電圧Ｖｓが１．１Ｖを越えると、ヒステリシスアンプ１３はＨレベルを出力する。期間Ｂにおいても、端子電圧Ｖｓは１．３Ｖを下回っているから、コンパレータ１４はＬレベルを出力するから、フリップフロップ７はＬレベルを出力する。つまり、期間Ｂにおいても、過電流保護回路１は電源回路に対してシャットダウンを指示しない。
【００３５】
ＮＯＲゲート９は、ＮＯＴゲート１６及びフリップフロップ７からＬレベルが入力されるため、スイッチ５をオンする。そうすると、スイッチ４がオフしている期間においては、端子電圧Ｖｓは１．１Ｖに維持される。ＮＯＲゲート１０は、ＮＯＴゲート１６からＬレベルが入力され、フリップフロップ８から出力トランジスタに過電流が流れている期間に応じたＬレベルが入力される。そうすると、ＮＯＲゲート１０は、出力トランジスタに過電流が流れていなければＨレベルを継続して出力するが、出力トランジスタに過電流が流れると、その期間に応じてＬレベルを出力することになる。
【００３６】
ＯＲゲート１２は、フリップフロップ７からＬレベルが入力される。また、ＯＲゲート１２は、ＮＯＲゲート１０から、Ｈレベル又はＬレベルが入力される。つまり、ＯＲゲート１２は、出力トランジスタに過電流が流れていなければＨレベルを出力し、出力トランジスタに過電流が流れると、その期間に応じてＬレベルを出力することになる。これにより、スイッチ４は、出力トランジスタに過電流が流れていなければオフする。そうすると、端子電圧Ｖｓは１．１Ｖに維持される。また、スイッチ４は、出力トランジスタに過電流が流れると、その期間に応じてオンする。そうすると、端子電圧Ｖｓは１．１Ｖから上昇する。このとき、過電流が突発的に生じたにすぎない場合などにおいては、スイッチ４は一度オンするものの、その後オフするため、コンデンサ２１は電流源３から放電され、端子電圧Ｖｓは１．１Ｖに維持されることになる。一方、過電流が継続的に生じている場合には、スイッチ４が頻繁にオンすることになり、端子電圧Ｖｓは上昇し続けることになる。
【００３７】
以上より、期間Ｂにおいては、過電流が継続的に生じた場合のみ端子電圧Ｖｓが１．３Ｖまで上昇する。これにより、コンデンサ２１を活用して、過電流保護回路１が過電流を誤検出した場合などに電源回路をシャットダウンすることを回避できる。
【００３８】
期間Ｃは、期間Ｂにおいて、過電流が継続的に生じた後の期間に相当する。期間Ｂにおいて過電流が継続的に生じて端子電圧Ｖｓが１．３Ｖまで上昇すると、ＮＯＴゲート１５は、Ｌレベルを出力することとなる。そうすると、ＮＯＲゲート１１は、Ｌレベルのみが入力されるから、Ｈレベルを出力する。これにより、フリップフロップ７はＨレベルを出力する。つまり、過電流保護回路１は、電源回路にシャットダウンを指示する。
【００３９】
ＮＯＲゲート９は、フリップフロップ７からＨレベルが入力されるから、Ｌレベルを出力する。このため、期間Ｃにおいては、スイッチ５はオフするから、端子電圧Ｖｓは１．１Ｖを下回ることができるようになる。
【００４０】
ＯＲゲート１２は、フリップフロップ７からＨレベルを入力されるから、フリップフロップ８の出力に関わらず、Ｈレベルを出力することとなる。つまり、端子電圧Ｖｓが０．２Ｖを下回るまではヒステリシスアンプ１３はＨレベルを継続して出力するから、フリップフロップ７はリセットされずＨレベルを継続して出力する。このため、ＯＲゲート１２は、期間Ｃにおいては、継続してスイッチ４をオフする。
【００４１】
以上より、期間Ｃにおいては、コンデンサ２１は電流源２によっては充電されないから、電流源３によって放電を継続する。このため、端子電圧Ｖｓは下降していくことになる。そして、端子電圧Ｖｓが０．２Ｖを下回るまでは、過電流保護回路１は、電源回路にシャットダウンを指示し続けることになる。つまり、コンデンサ２１を活用して、シャットダウンを継続する期間を調整することができる。
【００４２】
そして、端子電圧Ｖｓが０．２Ｖを下回ると、ヒステリシスアンプ１３はＬレベルを出力するから、フリップフロップはリセットされる。これにより、過電流保護回路１は、シャットダウンの指示を解除し、ソフトスタートを再度指示することになる。
【００４３】
ここで、図３を参照して、フリップフロップ８の入出力信号について具体的に説明する。
【００４４】
図３（ａ）は、電源回路をスイッチング制御するためのＰＷＭ信号を示す。例えば、図４に示す電源回路１００においては、ＰＷＭ信号は出力トランジスタ１４１のゲートに入力される信号に相当する。
【００４５】
図３（ｂ）は、ＰＷＭ信号がＮＯＴゲート１９により反転された反転ＰＷＭ信号を示し、フリップフロップ８のスタート端子に入力される信号である。
【００４６】
図３（ｃ）は、出力トランジスタに流れる電流に相当するセンス電流の波形図である。センス電流が、過電流設定値を越えると、出力トランジスタに過電流が流れているものとする。ここで、ＰＷＭ信号は一定周期で継続してＨレベルのパルスは生じるものであるが、過電流が検出されると、ＰＷＭ信号はその１パルスにおいてはＬレベルになる。つまり、出力トランジスタは、一定周期でスイッチング制御されるのであるが、過電流が検出されると直ちにオフされ、次のＨレベルのパルスが入力されて再度オンする。このため、可電流が検出されると、センス電流は、次に出力トランジスタがオンするまで減少する。
【００４７】
図３（ｄ）は、センス電流から生成されるパルスであり、フリップフロップ８のリセット端子に入力される過電流検出信号である。過電流検出信号は、センス電流が過電流設定値を越えると立ち上がる。そして、ＰＷＭ信号の立ち下がる周期に応じて、過電流検出信号も立ち下がる。これにより、過電流が検出されない期間は、過電流検出信号はＬレベルを継続するが、過電流を検出するとＨレベルのパルスとなる。そして、過電流が継続すると、過電流検出信号はＨレベルのパルスをＰＷＭ信号の周期毎に出力することになる。
【００４８】
このような構成によって、図２の期間Ｂにおける作用を検討すると、過電流が継続して検出されない期間においては、スイッチ４は当然にオフしており、端子電圧Ｖｓは１．１Ｖに維持される。
【００４９】
そして、一時的に過電流が流れた場合や、過電流を誤検出した場合においては、スイッチ４がオンするため、端子電圧Ｖｓは１．１Ｖから上昇する。しかし、これらの場合は継続して続くものではないため、端子電圧Ｖｓが１．３Ｖまで上昇する前にスイッチ４がオフする比率が多くを占めるようになり、コンデンサ２１は電流源３によって放電されて、端子電圧Ｖｓは１．１Ｖまで下降する。
【００５０】
一方、短絡など、過電流が継続的に流れるようになると、スイッチ４がオンする比率が多くなる。そうすると、電流源２は、電流源３よりも大きな電流を流していることから、端子電圧Ｖｓは上昇を続けることになる。そして、端子電圧Ｖｓが１．３Ｖまで上昇すると、過電流保護回路１は電源回路をシャットダウンさせることになる。
【００５１】
以上、本実施形態に係る過電流保護回路１は、電源回路のソフトスタートに用いられるコンデンサ２１を活用して、過電流の誤検出を防止できるとともに、電源回路をシャットダウンさせてから再起動させるまでの期間を調整することができる。
【００５２】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００５３】
例えば、本実施形態では、過電流保護回路は図４に示す電源回路１に搭載されるものであることを例示した。しかし、本発明はこれに限定されず、例えば、出力トランジスタが電源側のみならずグランド側にも設けられ、これらが相補的にスイッチング制御される電源回路であっても、過電流保護回路１は同様に搭載できる。この場合、図３（ｃ）に示したセンス電流は、電源側の出力トランジスタに流れる電流若しくはグランド側の出力トランジスタに流れる電流又はこれらの双方に応じるように構成できる。
【符号の説明】
【００５４】
１  過電流保護回路、２  電流源、３  電流源、４  スイッチ、５  スイッチ、６  トランジスタ、７  フリップフロップ、８  フリップフロップ、９  ＮＯＲゲート、１０  ＮＯＲゲート、１１  ＮＯＲゲート、１２  ＯＲゲート、１３  ヒステリシスアンプ、１１４  コンパレータ、１５  ＮＯＴゲート、１６  ＮＯＴゲート、１７  ＮＯＴゲート、１８  ＮＯＴゲート、１９  ＮＯＴゲート、２０  コンデンサ、５１  電圧源、５２  電圧源、１００  電源回路、１４５  発振回路、１４７  出力制御回路、１４８  過電流検出回路、１４１  出力トランジスタ。
【図１】
2010279188.tif 000003
【図２】
2010279188.tif 000004
【図３】
2010279188.tif 000005
【図４】
2010279188.tif 000006